Podtech/llm-jp-corpus-v4-ja_patent huggingface dataset:
(57)【要約】【目的】缶コーヒー等のプルトップをどこでも簡単に開ける事の出来る携帯用ストラップの提供。【構成】携帯用ストラップのマスコット等の代わりに、隙間（２）にコーヒー缶やビール缶等のプルトップを差し込んで苦労なく開缶できる携帯用簡易プルトップオープナー（１）を取り付けたストラップで、プルトップ差込口である隙間（２）は片側のみ閉じていて、片側はオープンとなっているのでプルトップの大小に関係なく使用出来る。【選択図】図１
2007037949.tif 000002
【特許請求の範囲】
缶コーヒー等の開け口であるプルトップ部分の大きさに関係なく開ける事の出来る簡易プルトップオープナーを取り付けた携帯用ストラップ
【発明の詳細な説明】
【発明の詳細な説明】
【技術分野】
【０００１】この発明は缶コーヒー等の開け口であるプルトップ部分を差し込んで持ち上げ、開缶する簡易プルトップオープナー付きの携帯用ストラップである。
【背景技術】
【０００２】缶ジュース等を戸外で開けるとき、プルトップは本体蓋部分に平にペッタリとくっついている事が多いため間に指を差し込みにくく、開けにくいことを経験した人は多いと思う。
【解決しようとする課題】
【０００３】爪を綺麗に伸ばしている女性や、指先に力の入りにくい老人がどこでも簡単に缶コーヒー等のプルトップ、或いは家庭での缶詰やビールのプルトップを持ち上げ缶を開けることを容易に出来るようにしたい。
【課題を解決するための手段】
【０００４】ストラップにぶら下げるマスコット代わり、簡易プルトップオープナーをセットしたことを特徴とする携帯電話用便利ストラップで、プルトップ差込口を、図１のように一方は閉じておくが、片側をオープンにしておくと、プルトップの持ち上げ部分の大小にかかわらず挟み込め、滑ることなくしっかりとプルトップを捉え持ち上げる事が出来る。
【作用】
【０００５】缶ジュース、缶コーヒーを戸外で飲む事が多いが、この携帯電話ストラップのプルトップオープナー使用で、爪をきれいに手入れした女性の爪先を傷つけることなくプルトップを開ける事が出来る。
また、指先に力がなくなった老人、或いは爪の弱くなっている人も容易にプルトップを持ち上げ、苦労なく簡単にあける事が出来るということを特徴としている。
【発明の効果】
【０００６】作用と同じく、缶のプルトップを持ち上げるときに爪を傷めたり、開け損ねたりする事がなくなる。また、プルトップの差込口が片方をオープンにしているため、小さな缶から大きな缶詰までプルトップの大きさに関係なく幅広く使用できる。
【実施例】
【０００７】プルトップオープナーは携帯電話に邪魔にならず、しかも本体を傷めることのないプラスチック状のものが好ましく、プルトップ部分をすっぽりと覆うタイプにも出来る。又、両側の枠を削除したタイプにするとデザインとしてもほっそりとしたより邪魔にならないタイプにも出来る。差し込み部分２を作らない板状のものでも可能であるが加わる力で滑り易くもなる。
色はプラスチック特有のカラフルな色にしたり、或いはとうめいに模様を入れたりして付け爪のように美しく仕上げて、実用性と共に携帯に色を添える事が出来る携帯用ストラップを提供する。これはキイホルダーにも応用できる。
【図面の簡単な説明】
【図１】片側オープンのプルトップオープナー斜視図
【図２】両側オープンのプルトップオープナー斜視図
【図３】使用例
【符号の説明】
１・・本体、２・・プルトップ差込口
【図１】
2007037949.tif 000003
【図２】
2007037949.tif 000004
【図３】
2007037949.tif 000005
(57)【要約】【課題】家庭内でサウナ服を着用し、ドライヤーを使うだけで移動や、軽作業をしながらでも、サウナ効果が得られ使い易く、安価で早く暖まる省エネタイプの簡易サウナ服を提供する。【解決手段】サウナ服で（１）には、温風吹込口（２）とドライヤーホルダー（３）及び温風分配袋（４）を設けてなる簡易サウナ服。【選択図】      図１
2007037943.tif 000002
【特許請求の範囲】
【請求項１】
サウナ服（１）には温風吹込口（２）とドライヤーホルダー（３）及び、温風分配袋（４）を設けてなる簡易サウナ服
【発明の詳細な説明】
【技術分野】
【０００１】この発明は、気密性の高い服内に温風を送り込むことで、サウナ効果を得ることができる機能を持った家庭内で使用できる簡易サウナ服である。
【背景技術】
【０００２】従来、家庭内で使用できるサウナは、小さな個室を設けて、そこに人が入り乾燥した温風を吹き込むものや、寝袋状の物に乾燥した温風を吹き込むもの、風呂の樋をサウナ室として使用するもの等、種々あるがいずれも、座ったり、寝たりの状態でサウナ効果を得るものであった。そのため、サウナに入っている間は、じっとしているしかなく、何もできなかった。
本発明は、サウナ効果を得ながら、移動したり、軽作業ができるようにした温風式簡易サウナ服である。
【発明の開示】
【発明が解決しようとする課題】
【０００３】イ、サウナに入った状態では、移動ができない、軽作業もできない。
ロ、サウナ装置は、設置場所をとり、片付が困難である。
ハ、サウナ装置は、使用エネルギーが大きい。
本発明は以上の欠点を解決するためになされたものである。
【課題を解決するための手段】
【０００４】気密性の高いサウナ服（１）には温風吹込口（２）を設ける。温風吹込み口（２）からドライヤー（６）で温風を吹き込むと温風は服内に設けた温風分配袋（４）に入り足方向温風出口（５）から出て、先ず足部を暖める。
次に足部の温風圧力が高くなると、温風は次第に上昇して体から手首へと充満し、少量  の温風で身体全体を早く暖めることができる。
又、ドライヤーは軽い物でありサウナ服にドライヤーホルダー（３）を設けて携帯できるようにする。ドライヤーのコードを長くする事によって、移動範囲は広まり、軽作業も可能である。
温風分配袋は（４）は、ドライヤーから急に温風が出た場合等、温風が直接体に当たらないために火傷防止も兼ねている。
本発明は、サウナ服内にドライヤーの温風を吹き込み、服内が均一に早く暖まるように工夫した、簡易サウナ服である。
【発明の効果】
【０００５】  本発明を使用することによって
１．サウナに入った状態で移動でき軽作業もできるため手軽に使用することができる。
２．サウナ服は、洗濯ができるため、気持ち良く使用できる。
３．すぐ暖まるため、省エネルギーができる。
４．設置場所がいらず、片付も簡単である。
５．製作費も安価である。
【発明を実施するための最良の形態】
【０００６】以下、本発明の実施例を述べる。
気密性の高い綿又は、ビニル、テフロン等で製作した、上下が継がり一体となった、簡易サウナ服（１）には、斜め前腹部にドライヤー（６）で温風を吹き込むための温風吹込口（２）を設け、温風吹込口（２）の近くには、ドライヤーホルダー（３）を設ける。
サウナ服（１）の内部には、温風分配袋（４）を設ける。
温風分配袋（４）は、袋帯の形状とし、温風吹込口（２）と継がっていて、温風吹込口から込った温風を足部に分配するために二股になった足方向温風出口（５）を設ける。
温風分配袋（４）の材質は、一般的なものでよく、サウナ服（１）ほど、気密性を必要とししない。
ドライヤーホルダー（３）は、ドライヤーの吸い込み空気が容易に取り入れられるように大きな網目のポケット状にする。
サウナ服（１）は、着脱のための開閉できるチャック（７）を設け、首部や手首、足首部は気密性を高めるために伸縮できる伸縮部（８）を設けて、温風が逃げにくいようにする。
本発明を使用するときは、裸又は、下着を着用した状態で、サウナ服（１）を着用する。次に、温風吹込口（２）に既存のヘアードライヤー等の熱風吹き出し口を接続し、ドライヤーの電源を入れて温風を吹き込むと温風は、温風分配袋（４）に入り、足方向出口を通って、先ず足の方から充満し暖かくなる。次第に温風は、上部方向にも充満していき、身体から手の方にも行き渡る。自分好みの温度に全体が暖まった時にドライヤーの電源を切ると余熱によりサウナ効果が得られる。温度が下がったら電源を入れ暖まったら電源を切ることを繰り返す  。ドライヤーは携帯できるので、ドライヤーの電源コードを移動する範囲に応じた長さにすることによって、移動したり軽作業しながら、サウナ効果が得られる。
そして、必要に応じてサウナ服専用の利便性、安全性を向上したドライヤーを製作し使用すれば、尚良い。
専用のドライヤーは、以下の機能を持たせる。
１）電源切り忘れ防止のためタイマーを設ける。
２）温度調節機能を持たせる。
３）温風吹込口（２）と簡単に着脱できるようにワンタッチ式とする。
４）ドライヤーは電池式でもよい。
サウナ服（１）は、大、中、小形の数種類を製作する。
ドライヤーホルダー（３）はポケットに替え、引掛式のマジック帯でもよい。
【産業上の利用可能性】
【０００７】家庭でサウナ風呂に入りたいと思っている人は、多勢いる。いつでも手軽にサウナ効果が得られるこの簡易サウナ服は、その願望を一気に解決したものである。
【図面の簡単な説明】
【０００８】
【図１】  本発明の使用状態を示す斜視図
【図２】  本発明の温風分配袋のサウナ服への取付状態を示す斜視図
【図３】  本発明の分配袋の概念図
【符号の説明】
【０００９】  １．サウナ服
２．温風吹込み口
３．ドライヤーホルダー
４．温風分配袋
５．足方向温風出口
６．ドライヤー
７．チャック
８．伸縮部
【図１】
2007037943.tif 000003
【図２】
2007037943.tif 000004
【図３】
2007037943.tif 000005
(57)【要約】【課題】    皮剥きの他に、食材の腐れ、へこみ、ヘタ取り、渋皮取り、種、わた取り、芽取り等ができる皮剥き器を提供する。【解決手段】    本体（１）上部に刃部（２）を設けた皮剥き器本体（１）の両側に、補助刃部（大）（３）と補助刃部（小）（４）を設けたことを特徴とする。【選択図】  図１
2007037948.tif 000002
【特許請求の範囲】
【請求項１】
皮剥き器本体（１）の両側に、野菜や果物等の食材のへこみや、不用部分を取り除くに適した補助刃部（大）（３）補助刃部（小）（４）を設けた補助機能付皮剥き器。
【発明の詳細な説明】
【技術分野】
【０００１】  この発明は、野菜や果物等の食材のへこみや、不用部分を取り除く機能が付いた皮剥き器に関するものである。
【背景技術】
【０００２】  従来、皮剥き器の本体の側面に小さなＵ字型のものが付いていて、例えばじゃがいもの芽を取るのもうまくいかず、大根の腐れやへこみ、トマトのヘタ取り等はできなかった。
【発明の開示】
【発明が解決しようとする課題】
【０００３】  これは次のような欠点があった。
（イ）じゃがいもの芽取りは付いているが小さくて機能上よくなく、芽取りに時間が長くかかり、きれいに取れなかった。
（ロ）大根の腐れやへこみ、トマトのヘタ取り等が出来なかった。
（ハ）ごぼうの渋皮取り、かぼちゃ、ピーマンの種、わた取り機能が付いていなかった。
本発明は、以上の欠点を解するためになされたものである。
【課題を解決するための手段】
【０００４】  本体（１）の上部に刃部（２）を設け、本体の側面に補助刃部（大）（３）を、反対の側面に補助刃部（小）（４）を設ける。
本発明は、以上のような構成よりなる補助機能付皮剥き器である。
【発明の効果】
【０００５】  本発明は、皮剥きの他に、食材の腐れ、へこみ、ヘタ取り、渋皮取り、種、わた取り、  芽取り等従来の皮剥き器になかった機能が付いていて大変便利である。
【発明を実施するための最良の形態】
【０００６】  以下、本発明の実施の形態を説明する。
（イ）本体の上部に、皮剥き用の刃部を自在に回転するように設ける。
（ロ）本体の側面に補助刃部（大）（３）を、反対の側面に補助刃部（小）（４）を設ける。
本発明は、以下の構成よりなっている。
本発明を使用するときは、本体（１）をにぎり、食材、たとえば大根の表面に押しつけて、下に引くことにより皮が剥ける。
また、大根の腐れやへこみ、トマトのヘタ等を取り除くときは、補助刃部（大）（３）で掘り起こし、回転させるようにして行う。
ごぼうの渋皮取りは、補助刃部（小）（４）の側面の刃の部分でけそぎ取る。
かぼちゃ、ピーマン等の種、わたを取り除く時は、食材の大きさに合わせて、補助刃部（大）（３）と補助刃部（小）（４）を使い分け、刃部の先端の丸いところで掻き出す。
じゃがいもの芽取りは、補助刃部（小）（４）で掘りおこすようにして取り除く。
【図面の簡単な説明】
【０００７】
【図１】本発明の斜視図
【図２】本発明の正面図
【図３】本発明の実施例の斜視図
【図４】本発明の実施例の斜視図
【図５】本発明の実施例の斜視図
【図６】本発明の実施例の斜視図
【図７】本発明の実施例の斜視図
【図８】本発明の実施例の斜視図
【符号の説明】
【０００８】  １．    本体
２．    刃部
３．    補助刃部（大）
４．    補助刃部（小）
５．    かぼちゃ
６．    ピーマン
７．    ごぼう
８．    じゃがいも
９．    大根
１０．  トマト
【図１】
2007037948.tif 000003
【図２】
2007037948.tif 000004
【図３】
2007037948.tif 000005
【図４】
2007037948.tif 000006
【図５】
2007037948.tif 000007
【図６】
2007037948.tif 000008
【図７】
2007037948.tif 000009
【図８】
2007037948.tif 000010
(57)【要約】【課題】スポーツスコア記録の入力及び集計において障害となる人力と時間を削減できない点とインターネットで集計結果を配信できない点である。【解決手段】本発明は、スポーツ競技中にスコア記録用ソフトウェア１で、パソコン又は電記録装置２を使いスコア入力し、インターネット網３へアップロードし、サーバー４で各試合を集計し、その集計結果を各クライアント側５にインターネットを通じ配信され、その結果がレポートとして画面６に表示することを特徴とするシステム。【選択図】図１
2007037945.tif 000002
【特許請求の範囲】
【請求項１】
紙を使用せず直接、電子記録装置又はパソコンを使いスポーツ競技中にスコア記録用のソフトウェアで記録保存でき、その記録データをインターネットでアップロードし、サーバー側で全試合の集計をし、その集計結果をクライアント側にレポートとしてインターネットを通じ配信できることを特徴とするシステム。
【発明の詳細な説明】
【技術分野】
【０００１】  本発明は、スポーツ競技スコアを容易に記録しインターネットを介してサーバー側で集計したデータをインターネット配信するシステムに関するものである。
【背景技術】
【０００２】  従来、野球などスポーツのスコア記録は紙に手書で書いたものを人が見ながらパソコンなどに入力し、集計を行なっていた。
その為、全試合の集計結果が得られるまで人力と数週間の時間を費やしていた。また、これまでだとインターネットでの配信サービスがない為、集計情報が容易に得られる手段がなかった。
【発明の開示】
【発明が解決しようとする課題】
【０００３】  解決しようとする問題は、スポーツスコア記録の入力及び集計において障害となる人力と時間を削減できない点とインターネットで集計結果を配信できない点である。
【課題を解決するための手段】
【０００４】  本発明は、紙で書いていたスポーツスコア記録を、競技中にパソコン又は電記録装置を使いスポーツ記録用ソフトウェアで容易に記録が可能で、その場で記録データが保存でき、インターネットを通じ記録ファイルをアップロードしサーバー側で全試合の集計結果をレポートとしインターネットと通じクライアント側に配信できることを特徴とする。
【発明の効果】
【０００５】  本発明のスポーツ競技スコア記録集計インターネット配信システムは、スポーツスコア記録用ソフトウェアで競技中に容易に入力できるので、入力時間の短縮とその場でインターネットを通じサーバー側に記録データをアップロードし集計結果を瞬時にクライアント側で集計結果を得られる利点がある。
【発明を実施するための最良の形態】
【０００６】  パソコンに野球スコア記録ソフトウェアをインストールし、野球場内においてスコアを記録保存し、インターネットを使いサーバー側にアップロードし、サーバー側で集計し、集計結果をレポートとして、インターネットを通じてクライアントに配信することを実現した。
【実施例１】
【０００７】  図１は、本発明の構造図と実施例である。【０００８】  スポーツ競技スコア記録のソフトウェア１で、電子記録装置又はパソコン２を使い競技中にスコア入力を行なう。【０００９】  スコアを記録保存したデータをインターネット網３にアップロードし、サーバー４にデータを蓄積し各試合結果をまとめて集計する。【００１０】  集計したデータをレポートとしてインターネットを通じ各クライアント５へ配信する。【００１１】  配信されたデータは各クライアント側で集計結果として画面６に表示される。
【産業上の利用可能性】
【００１２】  スポーツ業界は、情報システム化が進んでおらず、スコア記録は紙に手書きで記入しているのがほとんどで、本発明は紙を使用することなく、しかも競技中にソフトウェアを使い容易にその場で記録集計配信までできるため、あらゆるスポーツに適用が可能である。
【図面の簡単な説明】
【００１３】
【図１】スポーツ競技スコア記録集計インターネット配信システムの実施方法を示した説明図である。
【符号の説明】
【００１４】  １  スポーツ競技スコア記録用ソフトウェア
２  電子記録装置又はパソコン
３  インターネット網
４  集計側のサーバー
５  配信されるクライアント側
６  集計結果が配信されたレポート画面
【図１】
2007037945.tif 000003
(57)【要約】      （修正有）【課題】２人で遊べる、新しいボードゲーム方法およびその用具を提供する。【解決手段】裏面に数字を記した駒を、作戦を考慮し並べ、任意の駒を移動させる。その場合、前・斜めの何れにも自軍駒が続く限り移動できる。交互移動を進め両軍の駒が縦に接した場合双方の駒を開き数の多い方が勝となり双方の駒を取れる。その自軍の駒は好きな時に一列目（本陣）に復帰させる事ができる。また相手駒を挟んだ場合（２個以上も可）も敵の駒と挟んだ自軍の駒を開き合計数の多い方が勝ちとなり双方の駒を取れる。この場合も自軍の駒は一列目に復帰させる事ができる。このゲームの面白い点は自分が攻めて駒を接したり・挟んでも勝つとは限らないところである。また小学低学年の子供には算数の足し算の勉強にもなるのではないだろうか、勝利条件は敵のギブアップ・駒の全てをとる・本陣攻略などである。【選択図】なし【特許請求の範囲】
【請求項１】
図１  ボード（１０駒×１０駒  程度）を使用し図２  駒の初期配置図のように並べた裏面に数字が書かれた駒を使用し駒の接触や挟む事で双方の駒を開き、その数の多さで勝ち負けを決めゲームを進めてゆくものである。
尚、ボードの駒数や色、又駒の色や数字は変更する事も考えられるので指定せず、ローマ数字・漢数字・エジプト数字等すべてを適用する。
【請求項２】
このゲームの商品化・テレビゲーム化・ＰＣゲーム化に対するすべての権利
【発明の詳細な説明】
【図１】
2007037935.tif 000002
2007037935.tif 000003
2007037935.tif 000004
2007037935.tif 000005
【手続補正書】
【提出日】平成17年10月21日(2005.10.21)
【手続補正１】
【補正対象書類名】明細書
【補正対象項目名】全文
【補正方法】変更
【補正の内容】
【発明の詳細な説明】
【技術分野】
【０００１】本発明は、ボードゲームに関する。
【背景技術】
【０００２】従来の挟み将棋は挟むと其れで勝てたがこのボードと駒を使う事で攻めて相手を挟んでも勝つとは限らない面白さがある。また斜めに挟んだり、前後に接触させるだけで展開条件を得られるので勝負にスリルが拠り多くえられる。
【発明の開示】
【発明の効果】
【０００３】従来の挟み将棋と違い裏の数字の大きさで強弱をつける事で挟んだ駒の強さ・挟まれた駒の強さをゲームをしている子供が簡単な足し算や暗算をする事で自分の駒が勝ったか負けたかを判断することで基礎的な算数の勉強にもなると考えられる。
【発明を実施するための最良の形態】
【０００４】ＴＶゲームの普及で画面を通して遊ぶ子供に対して最近は親が遊び道具を吟味し与えている割合が増えて手作り玩具やゲームに対するニーズが増えているという調査結果がでていると云われていますがこのゲームはそれらの親達に受け入れられ、子供と父親がこのゲームに興じ和気藹々とした家庭生活を営む手助けとなればとこれ以上の成果はない。
【産業上の利用の可能性】
【０００５】このゲームをＴＶゲームにもできる。
【図面の簡単な説明】
【０００６】
【図１】ボードゲーム盤の真上から見た図
【図２】駒の初期配置図
【図３】駒の移動方向
【図４】駒の転回条件事例
【図５】駒の勝ち負け事例
【符号の説明】
【０００７】    〔図１〕１０駒×１０駒程度の正方形のゲームボードを使用    〔図２〕駒の数・内訳駒の裏面に１と記した物自軍・敵軍それぞれ５枚駒の裏面に２と記した物物自軍・敵軍それぞれ５枚駒の裏面に３と記した物物自軍・敵軍それぞれ５枚駒の裏面に４と記した物物自軍・敵軍それぞれ５枚駒の裏面に５と記した物物自軍・敵軍それぞれ５枚駒の裏面に１０と記した物物自軍・敵軍それぞれ５枚本陣駒自軍・敵軍それぞれ１枚          駒の合計６２枚    〔図３〕駒の移動可能方向駒は縦・横・斜め・に自軍の駒が続く限り前進できる。    〔図４〕駒の展開条件▲１▼赤と黒の駒が縦に接した時、双方の駒を開き数の多い方が勝ち両方の駒が取れる。自分の駒は再度使用可能、相手駒は使用できない。▲２▼斜めに挟んだ場合は双方の駒を開き合計数の多い方が勝ち両方の駒が取れる。自分の駒は再度使用可能、相手駒は使用できない。▲３▼横に挟んだ場合は双方の駒を開き合計数の多い方が勝ち両方の駒が取れる。自分の駒は再度使用可能、相手駒は使用できない。赤と黒の駒が縦に接した時、双方の駒を開き数の多い方が勝ち両方の駒が取れる。▲４▼横に相手駒を２枚以上挟んだ場合は双方駒を開き合計数の多い方が勝ち両方の駒が取れる。自分の駒は再度使用可能、相手駒は使用できない。▲５▼赤と黒が縦に接し尚且つ横に敵の駒を挟んだ場合縦を優先し駒を開き勝っていれば横も開く事ができる。    〔図５〕駒の勝ち負け事例▲１▼の場合黒が４、赤が５で赤の勝、両方取れる▲４▼は死駒▲５▼は本陣に復帰できる。▲２▼の場合黒が３其れを挟んだ赤が４と５で赤の勝、両方取れる▲３▼は死駒▲４▼と▲５▼は本陣に復帰出来る。▲３▼の場合黒が４、赤が１と３で合計４なので引き分けとなり双方の駒は死駒となり没収。▲４▼の場合黒が５と４の２枚で合計９其れを挟んだ赤が３と１０で合計１３となり赤の勝、このように相手の駒を何枚挟んでも合計数が上だとその駒を取れる。▲５▼の場合黒３と赤５が接し尚且つ黒４を挟んだ場合縦のラインを優先し駒を開くこの場合赤が５で黒３に勝尚且つ黒４を挟んだ合計が６なので赤の勝となるが、横のように黒が勝った場合は赤の３が敵に取られて居るのであける事が出来ない。
【手続補正２】
【補正対象書類名】図面
【補正対象項目名】全図
【補正方法】変更
【補正の内容】
【図１】
2007037935.tif 000006
【図２】
2007037935.tif 000007
【図３】
2007037935.tif 000008
【図４】
2007037935.tif 000009
【図５】
2007037935.tif 000010
(57)【要約】      （修正有）【課題】外出時など筆記具や小銭、切符、鍵のしまった場所がわからなくて必要な時にすぐ取り出せなかった。また紛失してしまう事もあった。そこで筆記具、小銭、切符、鍵が必要な時に瞬時に取り出せる事と紛失防止を図った腕バンドを提供する。【解決手段】腕バンド１に取り外しできる筆記具保持具２bと小銭、切符、鍵をしまう収納部４を設ける。【選択図】図１
2007037939.tif 000002
【特許請求の範囲】
【請求項１】
腕バンドに取り外しできる筆記具保持具と小銭、切符、鍵をしまう収納部を設けたことを特徴とする腕バンドである。
【発明の詳細な説明】
【技術分野】
【０００１】  この発明は、筆記具や小銭、切符、鍵を収納して携帯する腕バンドに関するものである。
【背景技術】  従来、図２に示すように筆記具は、筆入れや服のポケット等にしまい、小銭、切符は財布やポケット等にしまっていた。鍵は、鍵ホルダーにつけたり鞄等にしまって携帯していた。
【発明の開示】
【発明が解決しようとする課題】
【０００２】  しかしながら、以上の技術によれば、筆記具や小銭、切符、鍵をしまった場所がわからなくなり、必要な時にすぐに取り出せず、または紛失してしまう事があった。そこでこの発明は、筆記具、小銭、切符、鍵が必要な時に瞬時に取り出せる事と紛失防止を提供することを課題とする。
【課題を解決するための手段】
【０００３】  以上の課題を解決するために、腕バンドに筆記具を装着し取り外しできる筆記具保持具と、小銭、切符、鍵をしまう収納部を設けたことを特徴とする腕バンドである。
【発明の効果】
【０００４】  腕のバンドに、筆記具を装着して取り外しできる筆記具保持具と、小銭、切符、鍵をしまう収納部を設けたので、それぞれしまった場所が分散せずどこにしまったか忘れることがなく、瞬時の取り出しと紛失防止ができる。
【発明を実施するための最良の形態】
【０００５】  この発明の一実施形態を図１に示す。１は、腕バンドである。２ａは、マジックテープである。２ｂは、筆記具保持具でマジックテープであり、筆記具３に巻き付けて装着する。筆記具保持具２ｂは、マジックテープ２ａにより取り外しができる。４は、小銭、鍵をしまう収納部で留め具６付きの蓋５で閉じる。７は小銭、鍵収納部４とバンド１の間に設けた切符８をしまう収納部である。２ｃは、腕に装着するためのマジックテープである。
「実施形態の効果」【０００６】  この実施形態によれば、腕バンドに筆記具を保持した筆記具保持具と、小銭、切符、鍵の収納部を設けることにより、必要な物の瞬時の取り出しと紛失防止ができる。
【図面の簡単な説明】
【０００７】
【図１】この発明の一実施形態を示す斜視図である。
【図２】従来技術を示す斜視図である。
【符号の説明】
【０００８】１  腕バンド    ２ａ  マジックテープ    ２ｂ  筆記具保持具（マジックテープ）
２ｃ  マジックテープ    ３  筆記具    ４  小銭、鍵収納部    ５  小銭、鍵収納部蓋
６  収納部蓋の留め具    ７  切符収納部    ８  切符    ９  鍵    １０  小銭
【図１】
2007037939.tif 000003
【図２】
2007037939.tif 000004
(57)【要約】【課題】    介護を必要とする男性の排尿行為において、陰茎の移動や、多量排尿、介護者による被介護人の尿意見逃しに起因する尿漏れの不具合を解決すること。【解決手段】  陰茎部尿吸収パットと下腹部尿吸収パットからなる一体型の形状をしており、着脱可能な大腿部から腹部及び胸部用尿吸収シートを選択可能にしていることにより、この問題を解決する。【選択図】      図２
2007037936.tif 000002
【特許請求の範囲】
【請求項１】
発明品は排尿に介護を要する男性用尿取りパットで、陰茎部を包む尿吸収体と下腹部への尿漏れを吸収する吸収体が一体になった形状を持つ。
【請求項２】
陰茎部を包む吸収体と下腹部の尿漏れを吸収する吸収体を特徴とする請求項１に加え、大腿部方向、胴体部方向への尿漏れを防ぐ、形状の異なる着脱可能吸収シートを組合せ、それらを一体化し大腿部から胴体部への尿漏れを吸収できるパット・シート。
【発明の詳細な説明】
【技術分野】
【０００１】    本発明は、形状の異なる吸収体を組合せ一体化させることによって、陰茎部がどこを向いて排尿しても、着衣・寝具を濡らすことがない尿取りパット・シートである。
また、本品では下腹部から腹部さらには胸部に向けての尿漏れを考慮し、２つ重ね、３つ重ねでの使用が可能で、汚れたパットのみを交換する利便性を含む。
【背景技術】
【０００２】    排尿に介護を要する男性用には、臀部全体を包むオムツや、陰部のみを包むオムツ、一面が吸収体になった四角形のシート等がある、介護の場ではこれらのオムツやシートを任意で組合せて使用するが、ここで、介護者の負担が少ない尿漏れ防止効果のある形状を持つ尿取りパット・シートが必要である。
【発明の開示】
【発明が解決しようとする課題】
【０００３】    任意で選んだオムツ・シートを組合せて使用する場合、介護者は熟練度を要し、経済的にも数種類のオムツ、シートを準備することから負担も大きく無駄も多い。また、被介護人自身も、多く重ねられたオムツ、シートに不快感を示し、各々独立して使用されているオムツ、シートを外してしまう、陰茎部の位置を変えてしまうこと等により、尿漏れのリスクを効果的に排除できる解決法ではなかった。さらに夜間においては、介護者が被介護者の尿意に対応することは一段と困難で、一度尿漏れを起こした場合の介護者の負担は、日中の負担よりも重いものとなる。これらの不具合を解決することを課題とする。
【課題を解決するための手段】
【０００４】    この課題を解決するための請求項１の発明は、陰茎を挿入する穴のついた陰茎部用尿取りパットと下腹部用の吸収パットが一体になっていることを特徴とする、これにより、被介護者自身が何れかのパットを外してしまうことや、陰茎を陰茎部用尿取りパットから外してしまうこと等による尿漏れの問題を回避出来る。【０００５】    また、請求項２の発明は、下腹部用尿吸収パットに大腿部から胴体部にかけて、大腿部腹部を保護する尿吸収シート、更に、腹部から胸部を保護する尿吸収シートを着脱可能にしたことを特徴とする。これにより、夜間など介護者が就寝中、或いは何らかの理由で、長時間オムツの確認、オムツ替えが出来ない場合でも、尿漏れのリスクを回避することができ、また介護者の判断で、吸収シートのサイズ、枚数を変更可能なことから、経済的な男性用尿取りパット・シートである。
【発明の効果】
【０００６】    本発明により、排尿時の尿漏れを大幅に防ぐ効果があり、特に夜間や、介護の目が届かない間の尿漏れによる、介護者の負担を大きく軽減することが可能になる。また、下腹部用吸収パット及び腹部用吸収シート、胸部用吸収シートはそれぞれ着脱可能で、汚れたパット・シートのみ交換出来ることから経済的で、且つ被介護者への装着には介護者の熟練度を必要としない。
【発明を実施するための最良の形態】
【０００７】    図１は、陰茎を挿入する穴のついた陰茎部用尿取りパットと下腹部用の吸収パットが一体になっていることを特徴とする、これにより、被介護者自身が何れかのパットを外してしまうことや、陰茎部を陰茎部用尿取りパットから外してしまうこと等による尿漏れの問題を防止することができる。【０００８】    図２は、下腹部用吸収パットに大腿部腹部用吸収シート、腹部胸部用吸収シートを着脱可能にしたことを特徴とする。また、各々の吸収シートは、背中まで届く大きさが望ましい。これにより、夜間など介護者が就寝中、或いは何らかの理由で、長時間パット・シートの確認、交換が出来ない場合でも、尿漏れのリスクを回避することができ、また介護者の判断で、吸収シートのサイズ、枚数を変更可能なことから、経済的にも利便性が得られる。【０００９】    図３は、下腹部用吸収パットに、大腿部から胸部にかけての兼用吸収シートを着脱可能にしたことを特徴とする。  また、兼用吸収シートは、背中まで届く大きさが望ましい。  これにより、夜間など介護者が就寝中、或いは何らかの理由で、長時間パット・シートの確認、交換が出来ない場合でも、尿漏れのリスクを回避することがでる。  また、常に多くの尿取りシートを必要とする被介護者向けには、１枚の吸収シートを使用することで、経済的な利便性が得られる。
【産業上の利用可能性】
【００１０】    本発明に係わる尿取りパット及び尿取りシートは、形状もシンプルで製造も簡単であり、工業的に量産することが可能であるため、産業上の利用可能性を有する。
【図面の簡単な説明】
【００１１】
【図１】  下腹部を尿漏れから保護する吸収体に陰茎部を包む吸収体がついた、尿取りパットの平面図
【図２】  着脱可能な尿取りパットと、着脱可能な大腿部腹部用吸収シート、着脱可能な腹部胸部用吸収シートの平面図
【図３】  着脱可能な尿取りパットと、着脱可能な大腿部から胸部への尿漏れを吸収するシートの平面図
【符号の説明】
【００１２】  Ａ          下腹部用吸収体
Ａａ        尿取りシートへの尿取りパット表側着脱可能テープ
Ｂ          陰茎部用吸収体
Ｃ          陰茎挿入用穴
Ｄ          調整口用ゴム
Ｅ          陰茎固定用ゴム
Ｆ          大腿部尿漏れ防止伸縮ギャザー
Ｇ          腹部尿漏れ防止伸縮ギャザー
Ｈ          大腿部腹部シート用吸収体
Ｉ          腹部胸部シート用吸収体
Ｊ          尿取りパットとの接着を行う着脱可能テープ
Ｊａ        胸部用尿取りシートへの表側着脱可能テープ
Ｋ          大腿部腹部用シートとの接着を行う着脱可能テープ
Ｌ          大腿部腹部胸部兼用シート吸収体
Ｍ          尿取りパットとの接着を行う着脱可能テープ
【図１】
2007037936.tif 000003
【図２】
2007037936.tif 000004
【図３】
2007037936.tif 000005
(57)【要約】【課題】    本発明は、変色シールの変色を判別しようとして保存状態を判別する方法に関し、設定温度以外に保存されていても判別指標として機能を失わず、医薬品の保存状態を判別することができる管理方法を提供することを課題とする。【解決手段】    設定温度で保冷保存される医薬品等に変色シールを貼着させた状態で設け、この医薬品を設定温度で冷蔵保存し、変色度合いにより医薬品等の保存状態を判別する医薬品等の管理方法である。【特許請求の範囲】
【請求項１】
インスリン等の所定温度で冷蔵保存される医薬品等に変色シールを貼付した状態で設け、この医薬品を所定温度で冷蔵保存し、前期変色シールの変色度合いにより、前記医薬品の保存状態を判別することを特徴とする医薬品等の管理方法。
【請求項２】
所定温度下で冷蔵保存される医薬品の保存状態を判別するために前記医薬品に貼着される医薬品管理用シールであって、接着剤層が設けられた基材に、変色層が設けられており、前記変色層の変色度合いにより前記医薬品の保存状態を可能としたことを特徴とする医薬品管理用シール。
【発明の詳細な説明】
【技術分野】
【０００１】  本発明は、所定温度で冷蔵保存される医薬品等の保存状態を確認することができる医薬品等の管理方法およびこれに用いられる医薬品管理シールに関する。
【背景技術】
【０００２】  従来は、小規模薬局等で冷蔵保存されているインスリン等の医薬品が適切に保存されえたものか客観的に示される表示方法がなく、医薬品使用期限のみの表示であった。
【課題を解決するための手段】
本発明者等は、上記課題の下、たとえばインスリンの場合８℃を累計時間１時間を超えた場合赤色に変色し、２℃以下になった場合、青色に変色するシールを医薬品に貼着させ、この医薬品を前記所定温度で適切に保冷されていたかを客観的に証明する。
【発明の効果】
インスリン等、保冷医薬品の再販売制度の維持および保冷状態を客観的に証明し得る。
【発明を実施するための最良の形態】    変色シールの変色度合いにより、再販売可能あるいは不可能を判別し、あるいは保冷医薬品の再販売の根拠とする。
【実施例】    例えば、インスリンに貼着し変色シールが変色してないことを確認し、処方可能とする。あるいは再販売可能とする。
(57)【要約】      （修正有）【課題】従来のボードゲームに存在するような、コマの中に文字が多いため幼児や外国人には難しくまた大人には面倒、ボードが大きくなり持ち運びに不便、決められたコースなので飽きが生じるという３つの問題を解決するゲームを提供する。【解決手段】簡単な図形が描かれたプレートを使用し、図形面を裏側に並べ、めくった図形の指示に従いながら目標に向かって進路コースを探しながら進むゲームで、シンプルなルールと単純な図形によってだれもが楽しめ、各プレートの大きさは小さく、重ねればどこにでも気軽に持ち運びでき、いつも新鮮な気持ちで（飽きずに）遊べ、プレートの枚数・並べ方は自由で毎回違った展開が楽しめる。【選択図】    図２
2007037955.tif 000002
【特許請求の範囲】
【請求項１】
簡単な図形が描かれた小さなプレートをめくりながら目標に向かって進路コースを探していくゲームの構成としくみ。
図形面を裏面に並べ、めくった図形の指示に従いながら目標に向かって進む。
特徴としては、以下の３点。
▲１▼だれでも遊べる
シンプルなルールと単純な図形によって、だれもがゲームを楽しめる。
▲２▼どこでも持ち運べる
各プレートの大きさは小さく、重ねればどこにでも気軽に持ち運びできる。
▲３▼いつも新鮮な気持ちで（飽きずに）遊べる
プレートの枚数・並べ方は自由。毎回違った展開が楽しめる。
【発明の詳細な説明】
【技術分野】
【０００１】本発明は、数種類のプレートを使うことにより、▲１▼たれもが  ▲２▼どこでも、▲３▼いつも新鮮に  楽しめるゲームに関する。
【背景技術】
【０００２】従来のボードゲームは、▲１▼コマの中に文字が多いため、幼児や外国人には難しく、また大人には面倒である。▲２▼ボードが大きくなり持ち運びに不便。▲３▼決められたコースなので飽きが生じる。  といった欠点があった。
【発明の開示】
【発明が解決しようとする課題】
【０００３】本発明は、従来のボードゲームで解決できなかった３つの課題を、簡単な図形が描かれた小さなプレートを使うことで解決している。
【課題を解決するための手段】
【０００４】▲１▼だれでも遊べる
シンプルなルール（補足−Ａ）と明確で単純な図形によって、だれもが楽しめるゲームとなっている。
▲２▼どこでも持ち運べる
各プレートの大きさは小さく、重ねればどこにでも気軽に持ち運びできる。
▲３▼いつも新鮮な気持ちで（飽きずに）遊べる
プレートの枚数・並べ方は自由。毎回違った展開が楽しめる。
【発明の効果】
【０００５】シンプルなルール（補足−Ａ）、誰が見ても分かる図形という点から、幼児や外国人まで十分楽しめる。オセロゲームのように広く海外まで普及することも可能。
【発明を実施するための最良の形態】
【０００６】めくったプレートの向きを変えることから、正方形を基本としている。
（補足−Ａ）−ルールについて
１．各プレートを裏面にして並べ、その中に「目標プレート」を配置する。
並べるプレートの枚数・並べ方は自由。「目標プレート」の数も自由。
２．プレートをめくり、その図形が指示する方向に進む。
これをお互い交互に繰り返し、目標プレートに早く（または多く）到着したものが勝者となる。
【図面の簡単な説明】
【０００７】
【図１】  各プレートの平面図。
【図２】  ゲーム中の雰囲気を表した平面図。（６ターン目）  並べるプレートの枚数や「目標プレート」の数も自由だが、ここでは参考として、７×９＝６３枚  目標カード−１枚  として設定している。
【図１】
2007037955.tif 000003
【図２】
2007037955.tif 000004
(57)【要約】【課題】お手玉をする際に慣れない時は下におとしてしまって、それを手のひらに戻す為の拾う動作をなくすることにあります。【解決手段】お手玉に紐をつけて手の指に、その先端を留めることです。【選択図】図１
2007037953.tif 000002
【特許請求の範囲】
【請求項１】
伸縮性のある紐５をつけたお手玉
【請求項２】
紐５の先端に輪を作って指に合う様にその輪の大きさを変えられるもの。
【請求項３】
袋３に伸縮性の紐５を通すところにはハトメ４を付けて補強する。
【発明の詳細な説明】
【技術分野】
【０００１】この発明は年配者、子供等を対象とした遊具である。伸び縮みする紐の端に輪をつけてその輪に手の指を通す。そして反対側にお手玉を付けて手のひらの上でなげあげる。
その時、お手玉が手のひらから外れて落下したとしても、お手玉に紐がついているので簡単に手のひらに戻すことができる。
【背景技術】
【０００２】ヨーヨー玩具にも色々の種類がありますが、従来の風船ヨーヨーとか、ゴムヨーヨーに構成的には類似したものです。【０００３】発明したお手玉は一般的に使用されているお手玉に、伸縮する紐をつけたもので一般的なお手玉と同じ様に上に投げあげることも出来ますが、ヨーヨーと同じ様に下にも投げおろすことも出来るものです。
【特許文献１】  特開  ２００４−２８３５３４号公報
【特許文献２】  特開  ２０００−２８８２５９号公報
【発明の開示】
【発明が解決しようとする課題】
【０００４】お手玉を初めた段階では直ぐに下に落として、それを拾うことが，年配者等には特に辛いことです。
【課題を解決するための手段】
【０００５】お手玉に伸縮する紐をつけて、その紐の先端に輪をつけて、それを手の指に通してお手玉をするものである。
【発明の効果】
【０００６】伸縮する紐をつけることによって、簡単にお手玉を手のなかに取り戻せるので腰の悪い方でも、お手玉の初心者も、又は足に障害のある方でも遊戯しやすくなる。【０００７】更に良いことは伸縮紐でお手玉が勢い良く、手のひらに当たってツボを刺激することで健康にも役立つことです。
【発明を実施するための最良の形態】
【０００８】あまり大きなサイズにせずに、中にプラスチックのペレット等を入れて、少し重みを持たせ、紐の取り付け口にはハトメをつけて、そこに紐を通して袋の中で別の布地を丸めて、それに紐を巻きつけて留める。【０００９】紐の先端はビーズを使って輪をこしらえて、そのサイズが誰の指にもはめ易く自在にする。【００１０】紐は伸縮性のある外形は丸いものを使用する。
【実施例】
【００１１】図１の布地で縫い合わせた袋３にプラスチックのペレット１を入れて重さを加えその下にビニールスポンジ２を入れてクッションをとっている。【００１２】紐を通す孔は金属製のハトメ４を付けて補強している。【００１３】伸縮性の紐５は袋３の中では布地を束ねて、それに結びつけている。手の指につける方は先端で結び目７を作って、ビーズ６を使って伸縮性の紐５で二重の輪８を作り誰の指の大きさにも合う様にしてある。【００１４】出来上がった状態で伸縮する紐をお手玉の外側に巻きつけ、指に留めるところの紐の輪を大きくしてお手玉の外側に被せて留め、普通のお手玉としても使用できる。
【図面の簡単な説明】
【００１５】
【図１】
【符号の説明】
【００１６】Ａ  伸縮紐つきお手玉
Ｂ  部分断面
１  プラスチックのペレット
２  ビニールスポンジ
３  袋
４  ハトメ
５  伸縮性の紐
６  ビーズ
７  紐の結び目
８  紐の二重の輪
【図１】
2007037953.tif 000003
(57)【要約】      （修正有）【課題】リュックサックを背負ったとき、リュックサックの全重量が双肩への荷重となり苦痛の源となっている、この荷重を軽減する方法がないものかが課題である。【解決手段】リュックサックを背負った背中とリュックサックの間に梯子形軽量フレーム（１）を挿入し、フレーム（１）の肩部（７）を双肩よりも少し高くし、荷重を受けとる、受けた荷重は、脚部（３）を経てポケット即ち腰へと移動させる、このことで、リュックサックの重量は肩から腰へとシフトされ、課題は解決される。【選択図】  図１
2007037954.tif 000002
【特許請求の範囲】
【請求項１】
リュックサックを背負う時、リュックサックの全重量は双肩への荷重となっている、その肩の荷重を腰の荷重へと移転させる装置。
【発明の詳細な説明】
【発明の分野】
【０００１】  本発明はリュックサックの補助具として開発したものである、従がってリュックサックの技術分野と考える。
【背景技術】
【０００２】  現在のリュックサックは構造的にみると、布製の袋の中に荷物を入れ両肩で担ぎ易いように二本の肩かけベルトが付いていて背負い、肩に負担をかけつつも荷物を運ぶ手段であり道具である。【０００３】
【特許文献１】  特願２００５−１６３２２０
【発明の開示】
【発明が解決しようとする課題】
【０００４】  解決しようとする問題点は、リュックサックを背負った時、リュックサックの重量がすべて双肩の荷重となっている、したがって歩行が長時間になると、双肩が疲労と苦痛の根源となっている。この双肩の荷重を軽減出来ると楽に歩行が続けられる、こんな肩の荷重を軽減する方法はないものかが課題である。
【課題を解決するための手段】
【０００５】  人の動作や運動の中心は腰である。重い手荷物を持つときは両手に按分して持つ、荷物によっては振り分け荷物にしたり、天秤棒で前後に分けるかもしれない、このようにすることは自然であるし合理的である。しかし肩に荷重がかかったままでの歩行ならばリュックサックと同一であり、長距離の歩行には不向きである。【０００６】  牛馬を見てもわかる様に、前肢即ち手腕に力の入っていないときは肩での力仕事はむずかしい、立ち上がった人間の力仕事やスポーツはすべて丹田を含め腰が中心である。通常歩行する場合には、上半身の体重と、上半身にかかっているすべての荷重を一旦腰で受け、バランスをとった後で、初めて歩行が可能になる。【０００７】  即ちリュックサックの重量はいったん肩の荷重となるが、次に骨や筋肉を経由して、腰の荷重へと移転される、その後身体全体のバランスをとり歩行が始まる。  それならば、最初からリュックサックの重量を、肩を経由させないで、直接腰にシフトさせることが出来ないだろうか、このことが出来れば課題解決につながる。【０００８】  本発明は図からも分かる様に３種類の主要部品から構成されている、  リュックサックを背負う時、リュックサックの重量の肩への荷重を腰の荷重へと移転させるため、約横３０．０縦６０．０センチメートルの梯子形フレーム（図１）を作り、背中とリュックサックの間に下から挿入した形とする。フレーム（１）の左右の足部（４）を腰ベルト（８）の左右のポケット（１０）にそれぞれ接合する、フレーム（１）の肩部（７）は双肩に替わって荷重を受け止められる位置になるまで持ち上げる、これはリュックサックの形状や背負う人の座高や腰ベルトの締め方などに差異があるので調節ネジ（６）にて脚部（３）の長さの調節をし、肩の荷重が即ち足（４）がポケット（１０）に入ったことを確認する。【０００９】  その結果今までと違って双肩からリュックサックが浮き上がるのが感じ取れるのである。またリュックサックがずれない様にリュックサックの吊り輪をリュックサック固定用バー（５）に固定する。【００１０】  この様にリュックサックの重量は双肩からフレームの肩部（７）への荷重となる、その荷重はフレーム（１）の足部（４）から腰ベルトにあるポケット（１０）へそして腰ベルト（８）へ、かくして荷重の肩から腰部への移転が終了する。
従がって双肩への荷重負担がなく、課題は解決される。
【発明の効果】
【００１１】  リュックサックの重量をフレーム（１）の肩部（７）で受けフレーム（１）の脚部（３）を通じ、腰ベルト（８）のポケット（１０）から腰部への荷重として受け止める。双肩への負担がなくなる。
さらに重いリュックサックの場合には、腰ベルト（２）のポケット（１０）の位置を少し腰の両サイド側に移動（開く）だけで、さらなる荷重も受けられることが判明した。又リュックサックを手で下げる場合はフレーム（１）のハンドル部（２）を持つことで楽であるという。また前傾姿勢も補正されると言う、斯様に種々なる効果を生んでいる。
【図面の簡単な説明】
【００１２】
【図１】梯子形フレームの外観図（幅約３５高さ約６０センチメートル、強度さえあれば材質、太さは不問なれど軽量であることが望ましい。）
【図２】腰ベルトの外観図（双肩の荷重をフレームやポケットを通じて受けるところで、幅約５センチメートルで形状、材質、強度は適宜とする。）
【図３】ポケットの単位外観図（フレームの足にかかる力をベルトに伝えるジョイントである、形状は足部を受け入れ易いかたちで、工具用ポケットのように遊びがあること、材料は帆布か皮が良い、荷重が一番集中する箇所である。）
【符号の説明】
【００１３】  １  フレーム
２  ハンドル部
３  脚部
４  足部
５  リュックサック固定用バー
６  調節ネジ
７  フレーム肩部
８  ベルト
９  ベルト接合部（腹部）
１０  ポケット２個（背面部）
１１  足を受け入れ接合するポケットホール
１２  ベルトを通すホール
【図１】
2007037954.tif 000003
【図２】
2007037954.tif 000004
【図３】
2007037954.tif 000005
(57)【要約】【課題】  ポータブルトイレからの臭いを効果的に消臭し、周囲の環境を良くするポータブルトイレの消臭・除菌装置を提供する。【解決手段】上記目的を達成するために、紫外線ランプ3と酸化チタン7を組合わせ、オゾンを発生させ、これをポータブルトイレの蓋から下方へ向けてポータブルトイレの中に排出するものである。【選択図】    図2
2007037951.tif 000002
【特許請求の範囲】
【請求項１】
ポータブルトイレの蓋の内面に、取り外し可能に取り付けるポータブルトイレの消臭・除菌装置。
【発明の詳細な説明】
【技術分野】
【０００１】本発明は、ポータブルトイレの消臭・除菌装置に関するものである。
【背景技術】
【０００２】従来のポータブルトイレは、オゾン発生装置を使用してないで、消臭剤を使用している。
【発明の開示】
【発明が解決しようとする課題】
【０００３】従来のポータブルトイレでは、使用後のポータブルトイレから発生する臭いを充分に除去できないため、周囲の人に不快感を与えていた。【０００４】本発明は、このような従来の問題点を解決しようとするものであり、ポータブルトイレからの臭いを効果的に消臭し、周囲の環境を良くするポータブルトイレの消臭・除菌装置を提供することを目的とするものである。
【課題を解決するための手段】
【０００５】本発明は、上記目的を達成するために、紫外線ランプと酸化チタンを組合わせ、オゾンを発生させこれをポータブルトイレの蓋から下方へ向けてポータブルトイレの中に排出するものである。【０００６】小型オゾン発生装置のオゾン濃度を薄くするため、紫外線ランプを容量の小さいのを使用し、オゾン濃度を０．０５ＰＰｍ以下に抑える。【０００７】そして、臭いの効き目を強くするため、酸化チタンを使用する。【０００８】ポータブルトイレに取り付けるため、オゾン発生装置を小型化にする。
【発明の効果】
【０００９】上述したように本発明の、ポータブルトイレの消臭・除菌装置は、ポータブルトイレの消臭・除菌を防止するとともに、周囲の人に不快感を与えるのを抑えることができ、消臭・除菌効果の高いポータブルトイレの消臭・除菌装置を提供できる。【００１０】また、ポータブルトイレが殺菌され衛生的なポータブルトイレを提供できる。
【発明を実施するための最良の形態】
【００１１】以下、本発明の実施の形態を図１〜２図に基づいて説明する。【００１２】図において、１はオゾン発生装置本体で、スイッチ２をＯＮすると紫外線ランプ３がインバーター４にコントロールされ発光する、と共にオゾンが発生し、オゾン排気口５からポータブルトイレにオゾンが進入する。６はフューズで超過電力防止の安全を確保する。【００１３】また、７は酸化チタンで、消臭の効力を発揮する。８は、紫外線ランプ取付金具で、紫外線ランプを固定する。９は仕切り板で、紫外線ランプ室内とインバターや電気部分室内とを仕切り板９で仕切っている。１０はオゾン発生装置本体取付金具で、上から下にワンタッチで差込んで取り付ける。
【図面の簡単な説明】
【００１４】
【図１】ポータブルトイレの消臭・除菌装置を取り付けたポータブルトイレの正面図。
【図２】ポータブルトイレの消臭・除菌装置の斜視図。
【符号の説明】
【００１５】１      オゾン発生装置本体
２      スイッチ
３      紫外線ランプ
４      インバーター
５      オゾン排気口
６      ヒューズ
７      酸化チタン
８      紫外線ランプ取付金具
９      仕切り板
１０    オゾン発生装置本体取付金具
【図１】
2007037951.tif 000003
【図２】
2007037951.tif 000004
【手続補正書】
【提出日】平成17年10月24日(2005.10.24)
【手続補正１】
【補正対象書類名】特許請求の範囲
【補正対象項目名】請求項１
【補正方法】変更
【補正の内容】
【請求項１】
酸化チタンをコーチングした酸化チタン板と紫外線ランプとを内蔵し、前記紫外線ランプから紫外線を照射する事により該ランプ周囲の空気をオゾン化すると共に該酸化チタン板の酸化チタンを活性化させて、殺菌効果と脱臭効果とを得ることを特徴とするポータブルトイレの消臭・除菌装置。
【手続補正２】
【補正対象書類名】明細書
【補正対象項目名】全文
【補正方法】変更
【補正の内容】
【発明の詳細な説明】
【技術分野】
【０００１】
本発明は、ポータブルトイレの消臭・除菌装置に関するものである。
【背景技術】
【０００２】
従来のポータブルトイレでは、使用後のポータブルトイレから発生する臭いを充分に除去できないため、周囲の人に不快感を与えていた（例えば特許文献１参照）。
【特許文献１】特開  2000-37321号公報
【発明の開示】
【発明が解決しようとする課題】
【０００３】
本発明は、このような従来の問題点を解決しようとするものであり、ポータブルトイレからの臭いを効果的に消臭し、周囲の環境を良くするポータブルトイレの消臭・除菌装置を提供することを目的とするものである。
【課題を解決するための手段】
【０００４】
本発明は、上記目的を達成するために、紫外線ランプと酸化チタンを組合わせ、オゾンを発生させこれをポータブルトイレの蓋から下方へ向けてポータブルトイレの中に排出するものである。
【０００５】
小型オゾン発生装置のオゾン濃度を薄くするため、紫外線ランプを容量の小さいのを使用し、オゾン濃度を0.05ＰＰｍ以下に抑える。
【０００６】
そして、臭いの効き目を強くするため、酸化チタンを使用する。
【０００７】
ポータブルトイレに取り付けるため、オゾン発生装置を小型化にする。
【発明の効果】
【０００８】
上述したように本発明の、ポータブルトイレの消臭・除菌装置は、ポータブルトイレの消臭・除菌を防止するとともに、周囲の人に不快感を与えるのを抑えることができ、消臭・除菌効果の高いポータブルトイレの消臭・除菌装置を提供できる。
【０００９】
また、ポータブルトイレが殺菌され衛生的なポータブルトイレを提供できる。
【発明を実施するための最良の形態】
【００１０】
以下、本発明の実施の形態を図1〜図2に基づいて説明する。
【００１１】
図において、1はオゾン発生装置本体で、スイッチ2をＯＮすると紫外線ランプ3がインバーター4にコントロールされ発光する、と共にオゾンが発生し、オゾン排気口5からポータブルトイレにオゾンが進入する。6はフューズで超過電力防止の安全を確保する。
【００１２】
また、7は酸化チタンで、消臭の効力を発揮する。8は、紫外線ランプ取付金具で、紫外線ランプを固定する。９は仕切り板で、紫外線ランプ室内とインバーターや電気部分室内とを仕切り板9で仕切っている。10はオゾン発生装置本体取付金具で、上から下にワンタッチで差し込んで取り付ける。
【図面の簡単な説明】
【００１３】
【図１】ポータブルトイレの消臭・除菌装置を取り付けたポータブルトイレの正面図。
【図２】ポータブルトイレの消臭・除菌装置の斜視図。
【符号の説明】
【００１４】
オゾン発生装置本体
スイッチ
紫外線ランプ
インバーター
オゾン排気口
ヒューズ
酸化チタン
紫外線ランプ取付金具
仕切り板
オゾン発生装置本体取付金具